(57)【要約】【課題】  店舗等の現場において組み付けを極めて容易に行うことができるＰＯＰディスプレイを提供する。【解決手段】  立体の円弧柱状のＰＯＰ表示体２を支持体３に支持する際に、底面領域３３に対して係合領域３４が垂直状に立設した状態とした支持体３に対して、ＰＯＰ表示体２の係合溝２２を支持体３の被係合部４２に係合させことにより、ＰＯＰ表示体２の下端縁が支持体３の底面領域３３に当接した状態となるため、円弧柱状のＰＯＰ表示体２を支持体１に支持固定したＰＯＰディスプレイ１として店舗等の現場においてきわめて容易に組み付けることができる。【選択図】    図８
0003115633.tif 000002
【実用新案登録請求の範囲】
【請求項１】
円弧柱状のＰＯＰ表示体と、該ＰＯＰ表示体を支持する支持体と、からなるＰＯＰディスプレイにおいて、
前記ＰＯＰ表示体は、ＰＯＰ図柄を表示するために中央縦状に形成されるＰＯＰ表示領域と、該ＰＯＰ表示領域の両側方縦状に形成されて所定の縦方向の山折線及び谷折線に沿って折り込んだときにその端部が前記ＰＯＰ表示領域の裏面に貼着されてＰＯＰ表示体を支持する折込支持領域と、に区画される方形状の紙製ＰＯＰプレートによって構成され、その紙製ＰＯＰプレートには、前記折込支持領域に形成される所定の縦方向の山折線及び谷折線として、前記ＰＯＰ表示領域と前記折込支持領域とを区画する一対の第１山折線と、該一対の第１山折線と前記紙製ＰＯＰプレートの両端辺とのほぼ中央に形成される一対の第２山折線と、該一対の第２山折線のやや外側寄りに形成される一対の第１谷折線と、前記紙製ＰＯＰプレートの両端辺のやや内側に形成される一対の第３山折線と、が形成されると共に、該ＰＯＰプレートを折り込んだ状態で畳み込むために形成される横方向の複数の畳み込み線と、該畳み込み線と各々の前記山折線及び谷折線と交差する部分に形成される切欠孔と、前記一対の第２山折線のそれぞれを挟んでコ字状に切断されて使用時に輪ゴムを係止するために縦方向に適宜間隔をもって配置される対となる複数の切欠係止片と、前記支持体と係合するための係合溝と、がそれぞれ形成され、
前記支持体は、底面を構成する長方形状の底面領域と、該底面領域の長辺内側に連続し所定の谷折線及び山折線に沿って折り込んだときに前記底面領域の内側に垂直状に立設して前記ＰＯＰ表示体と係合する係合領域と、前記底面領域の一側短辺に連続して前記ＰＯＰ表示体を前記係合領域に係合させて立設させたときに該ＰＯＰ表示体の裏面から支持するための支持領域と、が区画されるコ字状の紙製支持プレートによって構成され、その紙製支持プレートには、前記底面領域と前記係合領域とを区画する一対の谷折線と、前記係合領域の中央に形成される山折線と、該山折線のほぼ中央部分に前記係合溝と係合するための被係合部と、前記支持領域の先端辺に山折線を介して形成される貼着部と、がそれぞれ形成され、
前記紙製ＰＯＰプレートにおいて、前記第１山折線と第２山折線と第３山折線と第１谷折線でそれぞれ山折・谷折をし、前記第３山折線で折られた外側面を前記ＰＯＰ表示領域の裏面縦中央に沿って接着手段で接着し、前記対となっている切欠係止片を内側に折り曲げてそれぞれ輪ゴムを係止して当該切欠係止片を接着手段で前記折込支持領域の裏面に接着することにより、前記円弧柱状のＰＯＰ表示体を構成すると共に、その円弧柱状のＰＯＰ表示体を前記輪ゴムを延ばして前記ＰＯＰ表示領域と前記折り込まれた折込支持領域とを重複させた状態で前記畳み込み線で折曲することにより折り畳み可能に構成され、
前記紙製支持プレートにおいて、前記一対の谷折線と中央の山折線とでそれぞれ山折・谷折をし、山折線で折り曲げた両面を接着手段で接着することにより前記係合領域を垂直状に立設させた前記支持体を構成すると共に、前記支持領域を前記底面領域の裏面に当接するように折り曲げ且つ前記底面領域を前記一対の谷折線に沿って折り曲げて垂直状に立設している係合領域に当接させた状態で折り畳み可能に構成され、
前記円弧柱状のＰＯＰ表示体を前記支持体に支持する際に、前記底面領域に対して前記係合領域を垂直状に立設させた状態でＰＯＰ表示体の前記係合溝を支持体の被係合部に係合させ、前記支持領域を前記ＰＯＰ表示体の裏面から斜め方向に折り曲げてその上端辺の前記貼着部を前記ＰＯＰ表示体の裏面に接着手段で接着することにより、前記円弧柱状のＰＯＰ表示体を前記支持体に支持固定したことを特徴とするＰＯＰディスプレイ。
【考案の詳細な説明】
【技術分野】
【０００１】
本考案は、円弧柱状のＰＯＰ表示体と、該ＰＯＰ表示体を支持する支持体と、からなるＰＯＰディスプレイに関するものである。
【背景技術】
【０００２】
従来、等身大のＰＯＰディスプレイを表示するものとして、特開２００１−８７０９９号公報（以下、「特許文献１」という。）や登録実用新案第３０２４５３５号公報（以下、「特許文献１」という。）等に開示されているＰＯＰディスプレイが提案されている。
【特許文献１】特開２００１−８７０９９号公報（図２）
【特許文献２】登録実用新案第３０２４５３５号公報（図１）
【考案の開示】
【考案が解決しようとする課題】
【０００３】
しかしながら、上記した特許文献１，２に記載される発明や考案においては、ＰＯＰ表示体が平板状のものであり、立体感を与えるものではなかった。これに対し、近年では、ある程度立体的なＰＯＰディスプレイを提供する傾向にあったが、その立体的なＰＯＰディスプレイを飾る店舗等で組立てることは極めて時間がかかるだけではなく、面倒であり、多くの場合には店舗に送られたＰＯＰディスプレイが組立てられることなくそのまま放置されるという不都合があった。
【０００４】
本考案は、上記した事情に鑑みなされたもので、その目的とするところは、店舗等の現場において組み付けを極めて容易に行うことができるＰＯＰディスプレイを提供することにある。
【課題を解決するための手段】
【０００５】
上記した目的を達成するために、請求項１に記載の考案について図面を参照して説明する。図１に示すように、本考案に係るＰＯＰディスプレイ１は、円弧柱状のＰＯＰ表示体２と、該ＰＯＰ表示体２を支持する支持体３と、からなる。
【０００６】
そして、前記ＰＯＰ表示体２は、図２乃至図４に示すように、ＰＯＰ図柄を表示するために中央縦状に形成されるＰＯＰ表示領域１５と、該ＰＯＰ表示領域１５の両側方縦状に形成されて所定の縦方向の山折線及び谷折線に沿って折り込んだときにその端部が前記ＰＯＰ表示領域１５の裏面に貼着されてＰＯＰ表示体２を支持する折込支持領域１６と、に区画される方形状の紙製ＰＯＰプレート１０によって構成されている。この紙製ＰＯＰプレート１０は、図示の場合は、縦方向に長いため、図３に示す上段ＰＯＰプレート１０ａと図４に示す下段ＰＯＰプレート１０ｂを連結して１つの方形状の紙製ＰＯＰプレート１０としている。もちろん、これを単一のプレートだけで構成しても良いし、３以上のプレートを連結して１つのプレートとしても良い。
【０００７】
また、その紙製ＰＯＰプレート１０には、前記折込支持領域１６に形成される所定の縦方向の山折線及び谷折線として、前記ＰＯＰ表示領域１５と前記折込支持領域１６とを区画する一対の第１山折線１１，１１と、該一対の第１山折線１１，１１と前記紙製ＰＯＰプレート１０の両端辺とのほぼ中央に形成される一対の第２山折線１２，１２と、該一対の第２山折線１２，１２のやや外側寄りに形成される一対の第１谷折線１３，１３と、前記紙製ＰＯＰプレート１０の両端辺のやや内側に形成される一対の第３山折線１４，１４と、が形成されると共に、該ＰＯＰプレート１０を折り込んだ状態で畳み込むために形成される横方向の複数の畳み込み線１７，１７と、該畳み込み線１７，１７と各々の前記山折線１１，１１，１２，１２，１４，１４及び谷折線１３，１３と交差する部分に形成される切欠孔１８と、前記一対の第２山折線１２，１２のそれぞれを挟んでコ字状に切断されて使用時に輪ゴム２１を係止するために縦方向に適宜間隔をもって配置される対となる複数の切欠係止片１９，１９と、前記支持体３と係合するための係合溝２２と、がそれぞれ形成されている。なお、上記畳み込み線１７，１７は、ＰＯＰプレート１０を畳み込んだ状態で畳み込むため、所定の幅を有する２重線となっている。
【０００８】
一方、前記支持体３は、図５に示すように、底面を構成する長方形状の底面領域３３と、該底面領域３３の長辺内側に連続し所定の谷折線３１及び山折線３２に沿って折り込んだときに前記底面領域３３の内側に垂直状に立設して前記ＰＯＰ表示体２と係合する係合領域３４と、前記底面領域３３の一側短辺に連続して前記ＰＯＰ表示体２を前記係合領域３４に係合させて立設させたときに該ＰＯＰ表示体２の裏面から支持するための支持領域３５と、が区画されるコ字状の紙製支持プレート３０によって構成されている。
【０００９】
そして、その紙製支持プレート３０には、前記底面領域３３と前記係合領域３４とを区画する一対の谷折線３１，３１と、前記係合領域３４の中央に形成される山折線３２と、該山折線３２のほぼ中央部分に前記係合溝２２と係合するための被係合部４２と、前記支持領域３５の先端辺に山折線３７を介して形成される貼着部３６と、がそれぞれ形成されている。
【００１０】
上記のように構成される前記紙製ＰＯＰプレート１０において、図６に示すように、前記第１山折線１１，１１と第２山折線１２，１２と第３山折線１４，１４と第１谷折線１３，１３でそれぞれ山折・谷折をし、図６（Ａ）に示すように、前記第３山折線１４，１４で折られた外側面を前記ＰＯＰ表示領域１５の裏面縦中央に沿って接着手段である両面テープ２３，２３で接着し、図６（Ｂ）（Ｃ）に示すように、前記対となっている切欠係止片１９を内側に折り曲げてそれぞれ輪ゴム２１を係止して当該切欠係止片１９を接着手段である両面テープ２０で前記折込支持領域１６の裏面に接着することにより、前記円弧柱状のＰＯＰ表示体２を構成すると共に、図７に示すように、その円弧柱状のＰＯＰ表示体２を前記輪ゴム２１を延ばして前記ＰＯＰ表示領域１５と前記折り込まれた折込支持領域１６とを重複させた状態で前記畳み込み線１７で折曲することにより折り畳み可能に構成されている。
【００１１】
一方、前記紙製支持プレート３０において、図５及び図８に示すように、前記一対の谷折線３１，３１と中央の山折線３２とでそれぞれ山折・谷折をし、山折線３２で折り曲げた両面を接着手段である両面テープ４１で接着することにより前記係合領域３４を垂直状に立設させた前記支持体３を構成すると共に、前記支持領域３５を前記底面領域３３の裏面に当接するように折り曲げ且つ前記底面領域３３を前記一対の谷折線３１，３１に沿って折り曲げて垂直状に立設している係合領域３４に当接させた状態で折り畳み可能に構成されている。
【００１２】
そして、前記円弧柱状のＰＯＰ表示体２を前記支持体３に支持する際に、図８に示すように、前記底面領域３３に対して前記係合領域３４を垂直状に立設させた状態で、ＰＯＰ表示体２の前記係合溝２２を支持体３の被係合部４２に係合させ、図９に示すように、前記支持領域３５を前記ＰＯＰ表示体２の裏面から斜め方向に折り曲げてその上端辺の前記貼着部３６を前記ＰＯＰ表示体２の裏面に接着手段である両面テープで接着することにより、前記円弧柱状のＰＯＰ表示体２を前記支持体１に支持固定したＰＯＰディスプレイ１とすることができる。
【００１３】
なお、本考案に係るＰＯＰディスプレイ１は、工場等でＰＯＰ表示体２と支持体３とを別々に構成し、図７に示すように、ＰＯＰ表示体２を輪ゴム２１を延ばしてＰＯＰ表示領域１５と折り込まれた折込支持領域１６とを重複させた状態で畳み込み線１７で折曲することにより折り畳み、また、支持体３も支持領域３５を底面領域３３の裏面に当接するように折り曲げ且つ底面領域３３を一対の谷折線３１，３１に沿って折り曲げて垂直状に立設している係合領域３４に当接させた状態で折り畳み、それぞれ折り畳んだＰＯＰ表示体２と支持体３とを所定の包装箱に入れて店舗等の現場に送り、送られた現場では、包装箱からＰＯＰ表示体２と支持体３とを取り出して、畳み込み線１７で畳み込んであるＰＯＰ表示体２を展開するだけで図８に示すような立体の円弧柱状のＰＯＰ表示体２が自動的に出来上がり、一方、畳み込まれた支持体３を展開するだけ図８に示すような支持体３とすることができるので、現場においては、ＰＯＰ表示体２の係合溝２２と支持体３の被係合部４２とを係合させて、支持体３の貼着部３６をＰＯＰ表示体２の裏面に接着するだけでよい。
【考案の効果】
【００１４】
請求項１に記載の考案においては、店舗等の現場において極めて容易に立体の円弧柱状のＰＯＰ表示体２とそれを支持する支持体３を組み付けることができるという従来にはない顕著な効果を奏することができるものである。
【考案を実施するための最良の形態】
【００１５】
以下、図１乃至図９の図面を参照して本考案の実施の形態について説明する。図１は、実施形態に係るＰＯＰディスプレイ１の斜め正面側から見た斜視図であり、図２は、紙製ＰＯＰプレート１０の背面から見た背面展開図であり、図３は、上段ＰＯＰプレート１０ａの正面から見た正面展開図であり、図４は、下段ＰＯＰプレート１０ｂの正面から見た正面展開図であり、図５は、紙製支持プレート３０の正面から見た正面展開図であり、図６は、紙製ＰＯＰプレート１０を折り込んで接着した状態を示す断面図であり、図７は、折込済により完成したＰＯＰ表示体２を畳み込んだ状態を示す斜視図であり、図８は、ＰＯＰ表示体２と支持体３との組付け構造を示す斜視図であり、図９は、ＰＯＰディスプレイ１の斜め背面側から見た斜視図である。
【００１６】
図１において、本実施形態に係るＰＯＰディスプレイ１は、円弧柱状のＰＯＰ表示体２と、該ＰＯＰ表示体２を支持する支持体３と、からなる。そして、ＰＯＰ表示体２は、図２乃至図４に示すように、ＰＯＰ図柄を表示するために中央縦状に形成されるＰＯＰ表示領域１５と、該ＰＯＰ表示領域１５の両側方縦状に形成されて所定の縦方向の山折線及び谷折線に沿って折り込んだときにその端部が両面テープ２３によってＰＯＰ表示領域１５の裏面に貼着されてＰＯＰ表示体２を支持する折込支持領域１６と、に区画される方形状の紙製ＰＯＰプレート１０によって構成されている。
【００１７】
この紙製ＰＯＰプレート１０は、図示の実施形態の場合、縦方向に長いため、図３に示す上段ＰＯＰプレート１０ａと図４に示す下段ＰＯＰプレート１０ｂとを下段ＰＯＰプレート１０ｂの上端辺に沿って形成される両面テープ２４によって接着連結して１つの方形状の紙製ＰＯＰプレート１０としている。もちろん、これを単一のプレートだけで構成しても良いし、３枚以上のプレートを接着連結して１つのプレートとしても良い。
【００１８】
また、その紙製ＰＯＰプレート１０には、折込支持領域１６に形成される所定の縦方向の山折線及び谷折線として、ＰＯＰ表示領域１５と折込支持領域１６とを区画する一対の第１山折線１１，１１（正面から見て山折）と、該一対の第１山折線１１，１１と紙製ＰＯＰプレート１０の両端辺とのほぼ中央に形成される一対の第２山折線１２，１２と、該一対の第２山折線１２，１２のやや外側寄りに形成される一対の第１谷折線１３，１３（正面から見て谷折）と、紙製ＰＯＰプレート１０の両端辺のやや内側に形成される一対の第３山折線１４，１４と、が形成されている。なお、第１谷折線１３，１３と第３山折線１４，１４とは、単なる折線だけではなく、ミシン目を入れて折り曲げ易くしている。
【００１９】
また、紙製ＰＯＰプレート１０には、該ＰＯＰプレート１０を折り込んだ状態で畳み込むために形成される横方向の複数の畳み込み線１７，１７と、該畳み込み線１７，１７と各々の山折線１１，１１，１２，１２，１４，１４及び谷折線１３，１３と交差する部分に形成される切欠孔１８と、一対の第２山折線１２，１２のそれぞれを挟んでコ字状に切断されて使用時に輪ゴム２１を係止するために縦方向に適宜間隔をもって配置される対となる複数の切欠係止片１９，１９と、支持体３と係合するための係合溝２２と、がそれぞれ形成されている。ここで、畳み込み線１７，１７は、厚みのある紙製ＰＯＰプレート１０を畳み込んだ状態で畳み込むため、所定の幅を有する２重線となっている。また、切欠孔１８は、紙製ＰＯＰプレート１０を折り畳んだときに、変形量を吸収するために形成されるものである。更に、切欠係止片１９，１９は、第２山折線１２，１２のそれぞれを挟んでコ字状に切断されるものであるが、切断される縦線は前記第１谷折線１３，１３で切断される。そして、切断されない他辺側を折曲することにより、後述するように輪ゴム２１を係止するようになっている。更に、係合溝２２は、下段ＰＯＰプレート１０ｂの最下端に形成されるものであり、下段ＰＯＰプレート１０ｂの縦方向の中心線上及び前記第２山折線１２，１２上に形成されるものである。
【００２０】
一方、支持体３は、図５に示すように、底面を構成する長方形状の底面領域３３と、該底面領域３３の長辺内側に連続し所定の谷折線３１及び山折線３２に沿って折り込んだときに底面領域３３の内側に垂直状に立設してＰＯＰ表示体２と係合する係合領域３４と、底面領域３３の一側短辺に連続してＰＯＰ表示体２を係合領域３４に係合させて立設させたときに該ＰＯＰ表示体２の裏面から支持するための長方形状の支持領域３５と、が区画されるコ字状の紙製支持プレート３０によって構成されている。
【００２１】
そして、その紙製支持プレート３０には、底面領域３３と係合領域３４とを区画する一対の谷折線３１，３１と、係合領域３４の中央に形成される山折線３２と、該山折線３２のほぼ中央部分に係合溝２２と係合するための被係合部４２と、支持領域３５の先端辺に山折線３７を介して形成される貼着部３６と、がそれぞれ形成されている。また、支持領域３５の長辺両側には、ミシン目入りの谷折線３８によって折られる補強片３９が形成されている。なお、被係合部４２は、係合領域３４のほぼ中央にエ字状の切欠溝を形成することにより、左右に２枚の挟持片４３が形成されたものとなっている。
【００２２】
図６に示すように、上記のように構成される紙製ＰＯＰプレート１０において、まず、第１山折線１１，１１と第２山折線１２，１２と第３山折線１４，１４と第１谷折線１３，１３でそれぞれ山折・谷折をし、図６（Ａ）に示すように、第３山折線１４，１４で折られた外側面に貼付されている両面テープ２３，２３をＰＯＰ表示領域１５の裏面縦中央に沿って接着する。その後対となっている切欠係止片１９を内側に折り曲げてそれぞれ輪ゴム２１を係止して当該切欠係止片１９を両面テープ２０で折込支持領域１６の裏面に接着する。このように構成することにより、図６（Ｃ）に示すように、切欠係止片１９に掛け止められた輪ゴム２１の付勢力により、図６（Ｂ）に示すように、左右の第２山折線１２，１２部分が当接した状態となり、ＰＯＰ表示領域１５が円弧状となって折込支持領域１６の第１山折線１１と第２山折線１２との間が背面の平面板状となった立体の円弧柱状のＰＯＰ表示体２を構成することになる。特に、本実施形態の場合には、第２山折線１２から第３山折線１４までの間の折込支持領域１６でＰＯＰ表示領域１５を裏面から支持している構造となっているため、ＰＯＰ表示体２を立体状の円弧柱状としたときに、その強度を強く維持することができる。
【００２３】
更に、図７に示すように、その円弧柱状のＰＯＰ表示体２を輪ゴム２１を延ばしてＰＯＰ表示領域１５と折り込まれた折込支持領域１６とを重複させた状態で畳み込み線１７で折曲することにより折り畳み可能に構成されている。この折り畳み状態で、組み付けるための店舗等の現場に送り易くしている。
【００２４】
一方、紙製支持プレート３０において、図５及び図８に示すように、一対の谷折線３１，３１と中央の山折線３２とでそれぞれ山折・谷折をし、山折線３２で折り曲げた両面を両面テープ４１で接着することにより係合領域３４を垂直状に立設させた支持体３を構成することができる。また、支持領域３５を底面領域３３の裏面に当接するように折り曲げ且つ底面領域３３を一対の谷折線３１，３１に沿って折り曲げて垂直状に立設している係合領域３４に当接させた状態で折り畳み可能に構成されている。この折り畳み状態で、組み付けるための店舗等の現場に送り易くしている。
【００２５】
そして、立体の円弧柱状のＰＯＰ表示体２を支持体３に支持する際に、図８に示すように、底面領域３３に対して係合領域３４が垂直状に立設した状態とした支持体３に対して、ＰＯＰ表示体２の係合溝２２を支持体３の被係合部４２に係合させる。このとき、第２山折線１２と第３山折線１４とを結んだ両方の折込支持領域１６部分を図示の矢印に示すように当接させた状態で被係合部４２の挟持片４３の内側に挟まれるように挿入し、被係合部４２の溝とＰＯＰ表示体２の係合溝２２とを重ね合わせることにより、ＰＯＰ表示体２の下端縁が支持体３の底面領域３３に当接した状態となる。その後、図９に示すように、支持領域３５をＰＯＰ表示体２の裏面から斜め方向に折り曲げてその上端辺の貼着部３６をＰＯＰ表示体２の裏面に両面テープで接着することにより、円弧柱状のＰＯＰ表示体２を支持体１に支持固定したＰＯＰディスプレイ１として組み付けることができる。
【００２６】
そして、本実施形態に係るＰＯＰディスプレイ１は、工場等でＰＯＰ表示体２と支持体３とを別々に構成し、図７に示すように、ＰＯＰ表示体２を輪ゴム２１を延ばしてＰＯＰ表示領域１５と折り込まれた折込支持領域１６とを重複させた状態で畳み込み線１７で折曲することにより折り畳み、また、支持体３も支持領域３５を底面領域３３の裏面に当接するように折り曲げ且つ底面領域３３を一対の谷折線３１，３１に沿って折り曲げて垂直状に立設している係合領域３４に当接させた状態で折り畳み、それぞれ折り畳んだＰＯＰ表示体２と支持体３とを所定の包装箱に入れて店舗等の現場に送り、送られた現場では、包装箱からＰＯＰ表示体２と支持体３とを取り出して、畳み込み線１７で畳み込んであるＰＯＰ表示体２を展開するだけで図８に示すような立体の円弧柱状のＰＯＰ表示体２が自動的に出来上がり、一方、畳み込まれた支持体３を展開するだけ図８に示すような支持体３とすることができるので、現場においては、ＰＯＰ表示体２の係合溝２２と支持体３の被係合部４２とを係合させて、支持体３の貼着部３６をＰＯＰ表示体２の裏面に接着するだけでよいため、、店舗等の現場において極めて容易に立体の円弧柱状のＰＯＰ表示体２とそれを支持する支持体３を組み付けることができる。
【図面の簡単な説明】
【００２７】
【図１】実施形態に係るＰＯＰディスプレイの斜め正面側から見た斜視図である。
【図２】紙製ＰＯＰプレートの背面から見た背面展開図である。
【図３】上段ＰＯＰプレートの正面から見た正面展開図である。
【図４】下段ＰＯＰプレートの正面から見た正面展開図である。
【図５】紙製支持プレートの正面から見た正面展開図である。
【図６】紙製ＰＯＰプレートを折り込んで接着した状態を示す断面図である。
【図７】折込済により完成したＰＯＰ表示体を畳み込んだ状態を示す斜視図である。
【図８】ＰＯＰ表示体と支持体との組付け構造を示す斜視図である。
【図９】ＰＯＰディスプレイの斜め背面側から見た斜視図である。
【符号の説明】
【００２８】
１  ＰＯＰディスプレイ
２  ＰＯＰ表示体
８  支持体
１０  紙製ＰＯＰプレート
１１  第１山折線
１２  第２山折線
１３  第１谷折線
１４  第３山折線
１５  ＰＯＰ表示領域
１６  折込支持領域
１７  畳み込み線
１８  切欠孔
１９  切欠係止片
２０  両面テープ
２２  係合溝
２３  両面テープ
２４  両面テープ
３０  紙製支持プレート
３１  谷折線
３２  山折線
３３  底面領域
３４  係合領域
３５  支持領域
３６  貼着部
３７  山折線
３９  補強片
４２  被係合部
【図１】
0003115633.tif 000003
【図２】
0003115633.tif 000004
【図３】
0003115633.tif 000005
【図４】
0003115633.tif 000006
【図５】
0003115633.tif 000007
【図６】
0003115633.tif 000008
【図７】
0003115633.tif 000009
【図８】
0003115633.tif 000010
【図９】
0003115633.tif 000011